(57)【要約】    【課題】  機器内から発生するノイズによるＡＭ放送波の受信性能の悪化を防止することができるＡＭ放送波受信機能を備えたオーディオ機器を提供する。    【解決手段】  ＡＭアンテナを介してＡＭ放送波の受信信号を得てその受信信号の復調を行ってオーディオ信号を出力するＡＭチューナと、ＡＭチューナから出力されるオーディオ信号を処理する処理部とを備えたオーディオ機器であって、処理部を除くＡＭチューナのみを囲むケースとＡＭアンテナとが一体に形成されている。【選択図】  図２
2006114941.tif 000002
【特許請求の範囲】
【請求項１】
ＡＭアンテナを介してＡＭ放送波の受信信号を得てその受信信号の復調を行ってオーディオ信号を出力するＡＭチューナと、
前記ＡＭチューナから出力されるオーディオ信号を処理する処理部と、を備えたオーディオ機器であって、
前記処理部を除く前記ＡＭチューナのみを囲むケースと前記ＡＭアンテナとが一体に形成されたことを特徴とするオーディオ機器。
【請求項２】
前記処理部と前記ＡＭチューナとの間はケーブルによって結合されていることを特徴とする請求項１記載のオーディオ機器。
【請求項３】
前記処理部内には前記ＡＭチューナ用の電源部と、前記ＡＭチューナの少なくとも受信周波数を指令する制御信号を生成する制御部とが少なくとも備えられ、
前記ケーブルには前記電源部の出力電圧を前記ＡＭチューナに供給する電源ラインと、基準電位を与えるグランドラインと、前記制御部からの制御信号を伝送するコントロールラインと、前記オーディオ信号を前記機器本体に伝送するオーディオ信号ラインとが含まれることを特徴とする請求項１又は２記載のオーディオ機器。
【請求項４】
前記ＡＭアンテナはループアンテナであることを特徴とする請求項１記載のオーディオ機器。
【請求項５】
前記ＡＭアンテナは前記ケースをベースとして形成されていることを特徴とする請求項１記載のオーディオ機器。
【発明の詳細な説明】
【技術分野】
【０００１】
本発明は、ＡＭ放送波受信機能を備えたオーディオ機器に関する。
【背景技術】
【０００２】
ＡＭ放送波受信機能を備えたホームシアターシステムやレシーバ等のオーディオ機器においては、一般に、ＡＭアンテナを外部接続してＡＭ放送波を受信することができるようになっている。例えば、図１に示すように、オーディオ機器５１内にはＡＭチューナ部５２が備えられ、ＡＭチューナ部５２と機器５１外部に配置されたＡＭループアンテナ５３とがケーブル５４を介して接続される。
【発明の開示】
【発明が解決しようとする課題】
【０００３】
しかしながら、オーディオ機器５１内にはスイッチング電源部５５やＡＶアンプ等のディジタル装置５６が備えられているので、それらから生成される輻射ノイズがＡＭチューナ部５２に混入してＡＭチューナ部５２の受信性能に悪影響を与えるという問題点があった。また、ケーブル５４及びＡＭループアンテナ５３によって受信信号である高周波信号が伝送されるので、機器内から発生するノイズによりＡＭ放送波の受信状態が悪化するという問題点があった。
【０００４】
本発明が解決しようとする課題には、上記の欠点が一例として挙げられ、機器内から発生するノイズによるＡＭ放送波の受信性能の悪化を防止することができるＡＭ放送波受信機能を備えたオーディオ機器を提供することが本発明の目的である。
【課題を解決するための手段】
【０００５】
請求項１に係る発明のオーディオ機器は、ＡＭアンテナを介してＡＭ放送波の受信信号を得てその受信信号の復調を行ってオーディオ信号を出力するＡＭチューナと、前記ＡＭチューナから出力されるオーディオ信号を処理する処理部と、を備えたオーディオ機器であって、前記処理部を除く前記ＡＭチューナのみを囲むケースと前記ＡＭアンテナとが一体に形成されたことを特徴としている。
【発明を実施するための最良の形態】
【０００６】
以下、本発明の実施例を図面を参照しつつ詳細に説明する。
【０００７】
図２は本発明によるオーディオ機器を示している。このオーディオ機器はこの実施例ではホームシアターシステムであり、機器本体の処理部１と外部装置２とを備えている。処理部１はＤＶＤレコーダ部１１、ＡＶアンプ部１２、制御部１３、表示部１４、操作部１５及び電源部１６を備えている。外部装置２はＡＭループアンテナ２１とＡＭチューナ部２２とからなる。処理部１の少なくともＤＶＤレコーダ部１１、ＡＶアンプ部１２、制御部１３及び電源部１６は１つのケース（図示せず）によって覆われている。
【０００８】
処理部１のＤＶＤレコーダ部１１はＤＶＤ及びＣＤ等の光ディスクについて記録及び再生を行う。ＡＶアンプ部１２はビデオ信号及びオーディオ信号の入出力切換機能、オーディオ信号の増幅機能及びＦＭチューナ部を備え、ＤＶＤレコーダ部１１の記録時にはビデオ信号及びオーディオ信号をＤＶＤレコーダ部１１に供給し、再生時にはＤＶＤレコーダ部１１からのビデオ信号及びオーディオ信号を受け入れて入出力切換機能によって選択的に外部に出力される。制御部１３はマイクロコンピュータからなり、ＤＶＤレコーダ部１１、ＡＶアンプ部１２、表示部１４、操作部１５及び電源部１６を制御する。表示部１４はＤＶＤレコーダ部１１及びＡＶアンプ部１２の動作状態及びＡＭチューナ部２２の受信周波数を表示する。操作部１５はＤＶＤレコーダ部１１の記録及び再生のための操作ボタン、ＡＶアンプ部１２の入出力切換及び増幅レベルのための操作ボタン等の操作ボタンを備えている。電源部１６はＤＶＤレコーダ部１１、ＡＶアンプ部１２、制御部１３、表示部１４及び操作部１５の各々の電源電圧を出力する。また、電源部１６はＡＭチューナ部２２の電源部としても動作する。なお、電源部１６には交流商用電圧を与えるための電源プラグ１８が処理部１外に設けられている。
【０００９】
ホームシアターシステムとしてはスピーカ１７及び図示しないテレビモニタが本体の外部装置として更に備えられている。スピーカ１７は図には１つしか示していないが、複数でも良い。
【００１０】
処理部１と外部装置２のＡＭチューナ部２２との間はケーブル３によって接続されている。ケーブル３は処理部１及びＡＭチューナ部２２に対して着脱自在にされていても良い。ケーブル３には、電源ライン３１、グランドライン３２、左右オーディオ信号ライン３３及びコントロールライン３４が備えられている。電源ライン３１及びグランドライン３２は電源部１６に接続され、左右オーディオ信号ライン３３はＡＶアンプ部１２に接続され、コントロールライン３４は制御部１３に接続されている。コントロールライン３４は複数のライン（例えば、４本）からなり、少なくとも制御部１３からＡＭチューナ部２２へ受信周波数の制御信号を伝送するが、これに限らず、ＡＭチューナ部２２から制御部１３への受信電界強度情報を伝送するために用いても良い。また、コントロールライン３４は双方向の通信を可能にされている。
【００１１】
外部装置２のＡＭループアンテナ２１とＡＭチューナ部２２とは一体に形成されている。すなわち、図３に示すように、ＡＭチューナ部２２を囲むケース２２ａをベースとしてリング状のＡＭループアンテナ２１が取り付けられている。ケース２２ａ内にＡＭチューナ部２２の回路が設けられている。ＡＭチューナ部２２にはケーブル３の電源ライン３１を介して供給される電源電圧が印加される。ＡＭチューナ部２２はＡＭループアンテナ２１と直結されており、制御部１３からケーブル３のコントロールライン３４を介して供給される制御信号に応じて指定される周波数のＡＭ放送波をＡＭループアンテナ２１を介して受信する。ＡＭチューナ部２２ではＡＭ放送波の受信信号が復調され、その結果として左右オーディオ信号が出力される。その左右オーディオ信号はケーブル３の左右オーディオ信号ライン３３を介して処理部１のＡＶアンプ部１２に供給される。
【００１２】
なお、ＡＭループアンテナ２１はケース２２ａ上に固定されているが、ケース２２ａに垂直軸について回転自在に支持されていても良い。
【００１３】
かかる構成のホームシアターシステムにおいては、処理部１の外部にＡＭループアンテナ２１とＡＭチューナ部２２とが一体に形成された外部装置２が備えられているので、処理部１内部で生じる電源部１６のスイッチングノイズやＡＶアンプ部１２のディジタル回路からのノイズがＡＭチューナ部２２に直接混入することが防止される。よって、ＡＭチューナ部２２の受信性能の悪化を防止することができる。
【００１４】
また、処理部１とＡＭチューナ部２２との間を繋ぐケーブル３には、上記のように電源電圧、グランドレベル、制御信号及びオーディオ信号を供給され、高周波信号のような外部ノイズが混入し易い信号がケーブル３によって伝送されることがないので、受信信号自体に悪影響を与えることが防止される。
【００１５】
更に、ＡＭループアンテナ２１とＡＭチューナ部２２とが一体に形成されており、その間に外部ケーブルが挿入されることがないので、ＡＭループアンテナ２１とＡＭチューナ部２２との整合を常に適切にすることができる。
【００１６】
ケーブル３としては処理部１から生成されるノイズが少ない場合には安価なケーブルを使用し、処理部１から生成されるノイズが多い場合にはノイズに強いシールドタイプのものを用いることができる。また、従来のオーディオ機器の場合には高周波信号の伝送のためにケーブルの長さに制限があったが、処理部１から生成されるノイズが多い場合であっても伝送信号への影響が従来に比べて少ないのでケーブルの長さに制限はほとんどなく、ケーブル３の長さを任意に選択することができる。
【００１７】
なお、上記した実施例においては、オーディオ機器としてＤＶＤレコーダを備えたホームシアターシステムを示したが、本発明が適用できるオーディオ機器はこれに限らない。ＡＭチューナを有するミニコンポーネントステレオ、マイクロシステム及びレシーバ等の他のオーディオ機器に本発明を適用することができる。
【００１８】
以上のように、本発明によれば、オーディオ信号処理部を除くＡＭチューナのみを囲むケースとＡＭアンテナとが一体に形成されているので、処理部内から発生するノイズによるＡＭ放送波の受信性能の悪化を防止することができる。
【図面の簡単な説明】
【００１９】
【図１】従来のＡＭチューナを備えたオーディオ機器を示す図である。
【図２】本発明の実施例としてホームシアターシステムを示す図である。
【図３】図２のシステム中の外部装置２の外観を示す斜視図である。
【符号の説明】
【００２０】
１  処理部
２  外部装置
１１  ＤＶＤレコーダ部
１２  ＡＶアンプ部
１３  制御部
１６  電源部
２１  ＡＭループアンテナ
２２  ＡＭチューナ部
【図１】
2006114941.tif 000003
【図２】
2006114941.tif 000004
【図３】
2006114941.tif 000005